(57)【要約】【課題】検出精度の優れた相互変調歪みの検出装置、および受信機を提供することを目的とするものである。【解決手段】受信機は、入力端子と、中心周波数を変えることができるチューナブル帯域フィルタと、チューナブル帯域フィルタに接続された歪み素子と、歪み素子に接続された復調回路と、復調回路で復調した低周波信号の電圧を測定するＳメータ測定回路と、Ｓメータ比較回路等からなるものである。これにより相互変調歪みを検出することができる。【選択図】図１
2012209627.tif 000002
【特許請求の範囲】
【請求項１】
入力端子と、前記入力端子に接続され通過帯域の中心周波数を変えることができるチューナブル帯域フィルタと、前記チューナブル帯域フィルタに接続された歪み素子と、前記歪み素子に接続されて自装置が受信する周波数の高周波信号を復調して低周波信号を得る復調回路と、前記復調回路に接続されて前記チューナブル帯域フィルタの通過帯域の中心周波数を設定する制御信号を前記チューナブル帯域フィルタに送信する中心周波数設定回路と、前記復調回路に接続されて復調回路で受信する周波数の高周波信号を復調して得られた低周波信号の電圧を測定するＳメータ測定回路と、前記Ｓメータ測定回路に接続され前記Ｓメータ測定回路で測定した電圧を記憶して比較するＳメータ比較回路とを備え、前記Ｓメータ比較回路は、前記復調回路で復調する高周波信号の周波数と前記チューナブル帯域フィルタの通過帯域の中心周波数が等しいときに前記復調回路で受信する周波数の高周波信号を復調して得られた低周波信号の電圧と、前記復調回路で復調する高周波信号の周波数と前記チューナブル帯域フィルタの通過帯域の中心周波数が異なるときに前記復調回路で受信する周波数の高周波信号を復調して得られた低周波信号の電圧とを比較して、相互変調歪みの発生を検出する相互変調歪み検出装置。
【請求項２】
前記Ｓメータ比較回路は、復調回路で復調する高周波信号の周波数とチューナブル帯域フィルタの通過帯域の中心周波数が等しいときに復調回路で受信する周波数の高周波信号を復調して得られた低周波信号の電圧よりも、復調回路で復調する高周波信号の周波数とチューナブル帯域フィルタの通過帯域の中心周波数が異なる場合に、復調回路で受信する周波数の高周波信号を復調して得られた低周波信号の電圧の方が大きいときに相互変調歪みの発生を検出する、請求項１に記載の相互変調歪み検出装置。
【請求項３】
前記Ｓメータ比較回路は、復調回路で復調する高周波信号の周波数とチューナブル帯域フィルタの通過帯域の中心周波数が等しいときに復調回路で受信する周波数の高周波信号を復調して得られた低周波信号の電圧と、復調回路で復調する高周波信号の周波数よりもチューナブル帯域フィルタの通過帯域の中心周波数が高周波数側に異なるときに復調回路で受信する周波数の高周波信号を復調して得られた低周波信号の電圧と、復調回路で復調する高周波信号の周波数よりもチューナブル帯域フィルタの通過帯域の中心周波数が低周波数側に異なるときに復調回路で受信する周波数の高周波信号を復調して得られた低周波信号の電圧と、を比較して相互変調歪みの発生を検出する請求項１に記載の相互変調歪み検出装置。
【請求項４】
前記Ｓメータ比較回路は、復調回路で復調する高周波信号の周波数とチューナブル帯域フィルタの通過帯域の中心周波数が等しいときに復調回路で受信する周波数の高周波信号を復調して得られた低周波信号の電圧と、復調回路で復調する高周波信号の周波数に対しチューナブル帯域フィルタの通過帯域の中心周波数が第１の周波数幅だけ異なるときに復調回路で受信する周波数の高周波信号を復調して得られた低周波信号の電圧と、復調回路で復調する高周波信号の周波数に対しチューナブル帯域フィルタの通過帯域の中心周波数が第２の周波数幅だけ異なるときに復調回路で受信する周波数の高周波信号を復調して得られた低周波信号の電圧と、を比較して相互変調歪みの発生を検出する請求項１に記載の相互変調歪み検出装置。
【請求項５】
前記相互変調歪み検出装置は、さらに回路ゲインを変化させるＡＧＣ回路を具備したことを特徴とする、請求項１から４に記載の相互変調歪み検出装置。
【請求項６】
前記相互変調歪み検出装置は、前記ＡＧＣ回路の回路ゲインを固定して、相互変調歪みの発生を検出する請求項５に記載の相互変調歪み検出装置。
【請求項７】
入力端子と、前記入力端子に接続され通過帯域の中心周波数を変えることができる第１のチューナブル帯域フィルタと、前記第１のチューナブル帯域フィルタに接続された第１の歪み素子と、前記第１の歪み素子に接続され通過帯域の中心周波数を変えることができる第２のチューナブル帯域フィルタと、前記第２のチューナブル帯域フィルタに接続された第２の歪み素子と、前記第２の歪み素子に接続されて受信する周波数の高周波信号を復調して低周波信号を得る復調回路と、前記復調回路に接続され前記第１のチューナブル帯域フィルタの通過帯域の中心周波数を設定する制御信号を前記第１のチューナブル帯域フィルタに送信する第１の中心周波数設定回路と、前記復調回路に接続され前記第２のチューナブル帯域フィルタの通過帯域の中心周波数を設定する制御信号を前記第２のチューナブル帯域フィルタに送信する第２の中心周波数設定回路と、前記復調回路に接続されて前記復調回路で受信する周波数の高周波信号を復調して得られた低周波信号の電圧を測定するＳメータ測定回路と、前記Ｓメータ測定回路に接続されＳメータ測定回路で測定した電圧を記憶して比較するＳメータ比較回路とを備える相互変調歪み検出装置。
【請求項８】
前記相互変調歪み検出装置は、前記復調回路で復調する高周波信号の周波数と第１のチューナブル帯域フィルタおよび第２のチューナブル帯域フィルタの通過帯域の中心周波数が等しいときに、前記復調回路で受信する周波数の高周波信号を復調して得られた低周波信号の電圧と、前記復調回路で復調する高周波信号の周波数と前記第２のチューナブル帯域フィルタの通過帯域の中心周波数が異なるときに、前記復調回路で受信する周波数の高周波信号を復調して得られた低周波信号の電圧とを比較し、
前記復調回路で復調する高周波信号の周波数と第１のチューナブル帯域フィルタおよび第２のチューナブル帯域フィルタの通過帯域の中心周波数が等しい場合に、前記復調回路で受信する周波数の高周波信号を復調して得られた低周波信号の電圧と、前記復調回路で復調する高周波信号の周波数と前記第１のチューナブル帯域フィルタおよび前記第２のチューナブル帯域フィルタの通過帯域の中心周波数が異なるときに、前記復調回路で受信する周波数の高周波信号を復調して得られた低周波信号の電圧とを比較し、相互変調歪みの発生を検出する、請求項７に記載の相互変調歪み検出装置。
【請求項９】
請求項１から８に記載の相互変調歪み検出装置を具備した受信機。
【発明の詳細な説明】
【技術分野】
【０００１】
本発明は、相互変調歪みの検出回路を具備した無線受信機に関するものである。
【背景技術】
【０００２】
無線受信機が、希望波に対して所定の周波数関係となる２つ以上の妨害波を受信したとき、受信回路内の高周波アンプやミキサなど非線形素子が相互変調（Ｉｎｔｅｒｍｏｄｕｌａｔｉｏｎ、以下、ＩＭと略すことがある）歪みを発生させ、希望波の受信を妨げる場合があることが知られている。特に、相互変調により生じた歪み信号が希望波と同じ周波数となるとき、希望波と歪み信号を分離して歪み信号を除去することが難しいために、混信が発生し、ビット誤り率や出力信号のＳＮ比を著しく劣化させる。
【０００３】
従来の相互変調歪みを検出・低減する技術を具備する受信機として、基地局に対して無線通信を行う受信機において、前記基地局より送信された信号を受信する受信手段と、無線周波数帯域信号のうち希望波のみを通過させる帯域幅を有する第１の濾波手段と、無線周波数帯域の受信信号を中間周波数帯域の信号に変換し抽出する周波数変換抽出手段と、前記受信機が受信した受信信号を復調するとともに前記受信信号の利得を制御する制御手段とを備え、前記制御手段は、前記周波数変換抽出手段からの前記中間周波数帯域の信号を復調する復調手段と、前記周波数変換手段よりも前段に設置され、利得を制御可能な第１の可変利得手段とを備え、前記周波数変換抽出手段は、前記復調手段によって利得が制御される第２の可変利得手段を備えているものが知られている（例えば特許文献１参照）。
【０００４】
また、従来の別の相互変調歪みを低減する技術を具備する受信機として、入力信号からの特定周波数の信号を抽出する同調手段と、前記同調手段からの出力信号の信号レベルを検出するレベル検出手段と、前記信号レベルを、予め決定された基準レベルと比較して比較結果を出力する比較手段と、前記比較結果に基づいて、前記同調手段の同調周波数を制御する制御手段とを備えるものが知られている（例えば特許文献２）。
【先行技術文献】
【特許文献】
【０００５】
【特許文献１】特開平１０−１２６３０１号公報
【特許文献２】特開２００４−８０１９９号公報
【発明の概要】
【発明が解決しようとする課題】
【０００６】
しかしながら、特許文献１に記載された従来の受信機においては、第１の可変利得手段の利得をαｄＢ（ｄＢ：デシベル）減衰させたとき、復調手段への入力電力量を一定に保つため第２の可変利得手段を制御し、第２の可変利得手段の利得の変化量としてβｄＢ（β＝２×α）以内の変化量を必要とするときに混変調歪み信号が受信感度の劣化に影響を及ぼしていないと判断し、βｄＢを越える変化量を必要とするときは混変調を発生する２つ以上の妨害波が存在すると判断しているが、歪みの発生源となる非線形素子への妨害波の入力レベルがαｄＢ変化したとき、非線形素子の出力信号における相互変調（ＩＭ）歪み信号のレベルがｎ×αｄＢ（ｎは２以上）以上変化するのは、ＩＭ歪み信号のレベルが非線形素子の飽和レベルに対して十分低い場合だけであるため、ＩＭ歪み信号のレベルが非線形素子の飽和レベルに近づくとＩＭ歪みを検出できないという問題があった。
【０００７】
また、特許文献２に記載された従来の受信機においては、同調手段からの出力信号のレ
ベルと予め決定された基準レベルを比較して同調手段の同調周波数を制御しているが、復調回路におけるベースバンド信号の信号レベル（Ｓメータ）を参照していないため、ＩＭ歪みが発生しているか否かを区別できないという課題があった。つまり、妨害波が存在する環境において、ＩＭ歪み信号が発生し希望波との混信が起こりうる条件と、混信が起こりえない条件を区別することができないため、ＩＭ歪みを検出することができなかった。
【０００８】
本発明は、従来の問題を解決するためになされたもので、相互変調歪みを検出することのできる受信機を提供することを目的とする。
【課題を解決するための手段】
【０００９】
上記目的を達成するために本発明は、入力端子と、入力端子に接続され通過帯域の中心周波数を変えることができるチューナブル帯域フィルタと、チューナブル帯域フィルタに接続された歪み素子と、歪み素子に接続されて受信する周波数の高周波信号を復調して低周波信号を得る復調回路と、復調回路に接続されて復調回路で復調する高周波信号の周波数を設定する受信周波数設定回路と、受信周波数設定回路に接続され前記チューナブル帯域フィルタの通過帯域の中心周波数を設定する制御信号を前記チューナブル帯域フィルタに送信する中心周波数設定回路と、復調回路に接続されて復調回路で受信する周波数の高周波信号を復調して得られた低周波信号の電圧を測定するＳメータ測定回路と、Ｓメータ測定回路に接続されＳメータ測定回路で測定した電圧を記憶して比較するＳメータ比較回路という構成を有する。
【発明の効果】
【００１０】
本発明によれば、チューナブル帯域フィルタの通過帯域の中心周波数をシフトする前後のＳメータを比較することにより、相互変調歪みを検出することができるという効果を奏する。
【図面の簡単な説明】
【００１１】
【図１】本発明の実施の形態１における相互変調歪み検出装置のブロック図
【図２】本発明の実施の形態１における相互変調歪み検出装置の動作説明のためのフローチャート
【図３】本発明の実施の形態１の相互変調歪み検出装置の実施例を示すチューナブル帯域フィルタの減衰度の周波数特性図
【図４】本発明の実施の形態１の相互変調歪み検出装置における相互変調歪みの検出の一例を示すための図であって、（ａ）はチューナブル帯域フィルタ入力信号のスペクトラムを示す図、（ｂ）はチューナブル帯域フィルタ出力信号のスペクトラムを示す図、（ｃ）は受信モードにおける歪み素子出力信号のスペクトラムを示す図、（ｄ）は相互変調歪み検出試験モードにおける歪み素子出力信号のスペクトラムを示す図
【図５】本発明の実施の形態２における相互変調歪み検出装置の動作説明のためのフローチャート
【図６】本発明の実施の形態２の相互変調歪み検出装置の実施例を示すチューナブル帯域フィルタの減衰度の周波数特性図
【図７】本発明の実施の形態３における相互変調歪み検出装置の動作説明のためのフローチャート
【図８】本発明の実施の形態３の相互変調歪み検出装置の実施例を示すチューナブル帯域フィルタの減衰度の周波数特性図
【図９】本発明の実施の形態４における相互変調歪み検出装置のブロック図
【図１０】本発明の実施の形態４における相互変調歪み検出装置の動作説明のためのフローチャート
【図１１】本発明の実施の形態５における相互変調歪み検出装置のブロック図
【図１２】本発明の実施の形態５における相互変調歪み検出装置の動作説明のためのフローチャート
【発明を実施するための形態】
【００１２】
（実施の形態１）
以下、本発明の実施の形態１における相互変調歪み検出装置１０について図面を参照しながら説明する。図１は本発明の実施の形態１における相互変調歪み検出装置１０のブロック図である。
【００１３】
図１において、相互変調歪み検出装置１０は、高周波信号の入力端子１１と、入力端子１１に接続され入力端子１１から相互変調歪み検出装置１０に入力された高周波信号が入力されるチューナブル帯域フィルタ１２と、チューナブル帯域フィルタ１２から出力された高周波信号が入力される歪み素子１３と、歪み素子１３から出力された高周波信号が入力される復調回路１４とを有する。
【００１４】
本実施の形態１の相互変調歪み検出装置１０は、主にラジオ受信機やテレビ受信機などの無線の受信機に搭載して使用することを想定している。
【００１５】
入力端子１１は、相互変調歪み検出装置１０が高周波信号を受信するための高周波信号の入り口であり、例えばアンテナ１９などに接続される。
チューナブル帯域フィルタ１２は、入力端子１１を通じて相互変調歪み検出装置１０に入力された高周波信号から、復調回路１４に入力すべき周波数帯域の高周波信号を選択的に通過させる帯域フィルタである。
【００１６】
チューナブル帯域フィルタ１２は、チューナブル帯域フィルタ１２が通過させる周波数帯域内の周波数の高周波信号を、通過させる周波数帯域外の周波数の高周波信号よりも少ない減衰量で通過させることができる。
【００１７】
さらに、チューナブル帯域フィルタ１２が通過させる周波数帯域の中心周波数を外部から制御できる特徴を有する。
【００１８】
歪み素子１３は、高周波アンプやミキサなどの非線形素子の総称である。高周波アンプは、入力された高周波信号の電力を増幅して出力する素子である。
ミキサは、一般に、複数の入力端子を持ち、複数の入力端子のそれぞれから入力された高周波信号を混合し、周波数変換を行った信号を出力する。
【００１９】
どちらもトランジスタ、ＦＥＴ、ダイオードなどを含む回路素子であり、所定の電力以上の信号が入力されると出力が飽和することにより歪み信号を発生させる。そのため、ここでは、高周波アンプやミキサを区別せずに歪み素子１３と呼ぶことにする。
【００２０】
復調回路１４は、相互変調歪み検出装置１０が受信した高周波信号を復調し、必要な情報が乗せられた低周波（ベースバンド）信号を取得する回路である。
ここでの低周波信号とは、本実施の形態の相互変調歪み検出装置１０を搭載する受信機がテレビであれば映像と音声、ラジオであれば音声、データ通信端末であればデータが含まれる電気信号などのことであり、図示していないディスプレイ、スピーカなどの出力デバイスに入力され、所定の映像をディスプレイに表示したり、所定の音声をスピーカから出力したりするのに使用される。
【００２１】
復調回路１４は、相互変調歪み検出装置１０が受信し復調回路１４で復調する高周波信号の周波数（以下で受信周波数と呼ぶ）を、中心周波数設定回路１５に出力する。
【００２２】
中心周波数設定回路１５は、チューナブル帯域フィルタ１２の通過帯域の中心周波数（以下で中心周波数と呼ぶ）が受信周波数と同じとなるようにするため、中心周波数に応じた信号をチューナブル帯域フィルタ１２へ出力する。
【００２３】
チューナブル帯域フィルタ１２は、中心周波数設定回路１５から入力される信号に応じて、通過帯域の中心周波数を変化させる。
【００２４】
復調回路１４は、復調回路１４が高周波信号を復調して得た低周波信号をＳメータ測定回路１６に出力する。
【００２５】
Ｓメータ測定回路１６は、復調回路１４から出力された低周波信号の電圧（信号レベル）を測定する。復調回路１４が復調して得た低周波信号の信号レベルをＳメータと呼ぶ。Ｓメータ測定回路１６は、ＳメータをＳメータ比較回路１７へ出力する。
【００２６】
以上のように構成された相互変調歪み検出装置１０について、以下にその処理動作を説明する。図２は本発明の実施の形態１における相互変調歪み検出装置１０の動作説明のフローチャートである。
【００２７】
まずユーザからの指示動作などにより、相互変調歪み検出装置１０が受信モードに入る（ステップＳ３１）。
【００２８】
次に、復調回路１４は、ユーザからの指示や相互変調歪み検出装置１０を制御するプログラムの命令を受けて、相互変調歪み検出装置１０が受信して復調する高周波信号の周波数（受信周波数）を決め、受信周波数をチューナブル帯域フィルタ１２の中心周波数設定回路１５へ出力する。
【００２９】
中心周波数設定回路１５は、チューナブル帯域フィルタ１２の中心周波数が、受信周波数と同じとなるように、チューナブル帯域フィルタ１２へ制御信号を出力する。以上の動作により、チューナブル帯域フィルタ１２の通過帯域の中心周波数は、復調回路１４の受信周波数に設定される。
【００３０】
そのため、チューナブル帯域フィルタ１２は、入力端子１１に入力された高周波信号から受信周波数の信号を選択して出力する。
【００３１】
チューナブル帯域フィルタ１２から出力された高周波信号は、歪み素子１３、さらに復調回路１４へ入力され、復調回路１４で復調される。
【００３２】
復調回路１４は、復調回路１４に入力された高周波信号から受信周波数の信号を復調して低周波信号を得て、低周波信号をＳメータ測定回路１６へ出力する。
【００３３】
Ｓメータ測定回路１６は、復調回路１４から入力された低周波信号のＳメータ（Ｓ１）を、Ｓメータ比較回路１７へ出力する。Ｓメータ比較回路１７は、Ｓメータ（Ｓ１）を記憶する（ステップＳ３２）。
【００３４】
次に、復調回路１４は、ユーザからの指示や相互変調歪み検出装置１０を制御するプログラムの命令に従い、ＩＭ歪み検出試験モードを開始するか、開始しないかを選択する（ステップＳ３３）。
【００３５】
ＩＭ歪み検出試験モードを開始しない場合（ステップＳ３３のＮＯ）、受信モードのステップＳ３２に戻る。
【００３６】
復調回路１４が、ＩＭ歪み検出試験モードを開始することを選んだ場合（ステップＳ３３のＹＥＳ）、チューナブル帯域フィルタ１２の中心周波数設定回路１５は、中心周波数を受信周波数から所定量だけシフトさせるため、チューナブル帯域フィルタ１２に制御信号を出力する。
【００３７】
チューナブル帯域フィルタ１２の通過帯域の中心周波数は、復調回路１４の受信周波数から所定量だけシフトする。
【００３８】
チューナブル帯域フィルタ１２から出力された高周波信号は、歪み素子１３、さらに復調回路１４へ入力され、復調回路１４で復調される。復調回路１４は、復調回路１４に入力された高周波信号から受信周波数の信号を復調して低周波信号を得て、低周波信号をＳメータ測定回路１６へ出力する。
【００３９】
Ｓメータ測定回路１６は、復調回路１４から入力された低周波信号のＳメータ（Ｓ２）を、Ｓメータ比較回路１７へ出力する。Ｓメータ比較回路１７は、Ｓメータ（Ｓ２）を記憶する（ステップＳ３４）。
【００４０】
次に、Ｓメータ比較回路１７では、チューナブル帯域フィルタ１２の通過帯域の中心周波数が復調回路１４の受信周波数と等しいときの受信周波数のＳメータＳ１と、チューナブル帯域フィルタ１２の通過帯域の中心周波数が復調回路１４の受信周波数に対して所定量のシフトをしているときの受信周波数のＳメータＳ２の大小を比較する（ステップＳ３５）。
【００４１】
Ｓメータ比較回路１７は、Ｓ２がＳ１より大となったときにＩＭ歪みが生じていると判断する。
【００４２】
一方、Ｓメータ比較回路１７は、Ｓ２がＳ１より小となったときは、ＩＭ歪みが生じていないと判断する。Ｓメータ比較回路１７が、ＩＭ歪みが生じていないと判断したときは、受信モードＳ３２に戻り、通常の受信動作を行う。
【００４３】
以上のように構成された相互変調歪み検出装置１０について、以下で、処理動作の実施例を説明する。
【００４４】
まず、チューナブル帯域フィルタ１２の減衰度の周波数特性の例を図３に示す。図３の横軸は、チューナブル帯域フィルタ１２に入力される高周波信号の周波数である。縦軸は、チューナブル帯域フィルタ１２に入力される高周波信号がチューナブル帯域フィルタ１２を通過する前後に受ける信号レベルの減衰度を表す。
【００４５】
以下では、チューナブル帯域フィルタ１２に入力される高周波信号がチューナブル帯域フィルタ１２を通過する前後に受ける信号レベルの減衰度のことを、チューナブル帯域フィルタ１２の減衰度と呼ぶ。
【００４６】
すなわち、チューナブル帯域フィルタ１２への入力信号のレベルを縦軸の０としたとき、縦軸が出力信号のレベルに相当する。図２のステップＳ３２において、チューナブル帯域フィルタ１２は、中心周波数設定回路１５からの出力信号を受けて、通過帯域の中心周波数が受信周波数となるように設定される。
【００４７】
図３の実線Ａ１は、チューナブル帯域フィルタ１２の中心周波数が受信周波数となるときのチューナブル帯域フィルタ１２の減衰度を表している。
【００４８】
このとき、受信周波数をｆｄで表す。チューナブル帯域フィルタ１２へ周波数が受信周波数ｆｄである信号を含む広帯域信号が入力したとき、周波数が受信周波数ｆｄと等しい信号は、最小の減衰（減衰度Ｌ０）を受けて出力される。
【００４９】
しかしながら、周波数が受信周波数ｆｄより高い信号と低い信号は、周波数ｆｄの信号より大きな減衰を受けて出力される。つまり、チューナブル帯域フィルタ１２は、受信周波数ｆｄの信号を選択して出力している。
【００５０】
次に、図２のステップＳ３４において、チューナブル帯域フィルタ１２は、中心周波数設定回路１５から出力された制御信号を受けて、通過帯域の中心周波数を受信周波数ｆｄからシフトさせる。
【００５１】
図３の破線Ａ２は、周波数のシフト幅が＋Δｆ（中心周波数がｆｄ＋Δｆ）となるときのチューナブル帯域フィルタ１２の減衰度を表している。チューナブル帯域フィルタ１２に、周波数が受信周波数ｆｄの信号が入力されたときに、受信周波数ｆｄの信号が受ける減衰度はＬｄ２となる。
【００５２】
次に、ＩＭ歪み信号が発生する場合の処理動作の例を図４を用いて説明する。図４（ａ）は、相互変調歪み検出装置１０の入力端子１１からチューナブル帯域フィルタ１２に入力される信号の周波数対信号レベルの特性図（スペクトラム）を表す。
【００５３】
図４の横軸は、チューナブル帯域フィルタ１２に入力される信号の周波数を表し、縦軸は信号レベルを表す。チューナブル帯域フィルタ１２には、周波数が受信周波数ｆｄと等しい信号（Ｂ１１）、周波数ｆａの信号（Ｂ１２）、周波数ｆｂの信号（Ｂ１３）が入力される。周波数の関係を式１に示す。
ｆａ−ｆｄ＝ｆｂ−ｆａ    （式１）
つまり、周波数ｆｄ、周波数ｆａ、周波数ｆｂは等間隔で並んでいる。周波数ｆｄの信号レベルをＶｄ、周波数ｆａと周波数ｆｂの信号レベルをＶａとする。
【００５４】
周波数ｆｄの信号は、復調回路の受信周波数と等しく、復調すべき信号（つまり希望波信号）であるのに対し、周波数ｆａと周波数ｆｂの信号は、希望波信号の復調のためには不要な信号（妨害波信号）である。
【００５５】
相互変調歪みが生じるのは、希望波信号と周波数が異なる２波以上の妨害波信号が存在する場合である。
【００５６】
さらに、希望波信号と２波以上の妨害波信号の互いの周波数の間隔が等しい場合に、相互変調歪みで生じる相互変調歪み信号（以下では単に歪み信号と呼ぶことがある）が希望波信号と同じ周波数となるため、希望波信号と歪み信号の分離が困難となり、受信性能を著しく劣化させる場合がある。式１は、このような場合の、希望波信号と妨害波信号の周波数の関係を表す。
【００５７】
なお、図４では、妨害波の周波数が希望波の周波数より高い場合を示したが、逆に低い場合も同様である。ただし、相互変調歪みにかかわる妨害波の周波数は、希望波周波数に対して、高い側か低い側のいずれかの側に等間隔に並ぶ必要がある。
【００５８】
相互変調歪み検出装置１０が受信モードを開始（図２のステップＳ３１）した後、ステップＳ３２において、チューナブル帯域フィルタ１２の中心周波数は受信周波数ｆｄとなるように設定される。
【００５９】
このときのチューナブル帯域フィルタ１２の減衰度は図３の減衰度曲線Ａ１で表される。このとき、周波数ｆｄ、周波数ｆａ、周波数ｆｂの信号のチューナブル帯域フィルタ１２の通過前後の減衰度は、Ｌ０、Ｌａ１、Ｌｂ１となり、それらの大小関係は、Ｌ０＜Ｌａ１＜Ｌｂ１である。
【００６０】
つまり、周波数ｆｄの希望波信号が最も減衰度が小さく、周波数ｆａと周波数ｆｂの妨害波は希望波よりも大きな減衰を受ける。チューナブル帯域フィルタ１２を出力された信号の信号レベルを図４（ｂ）の実線で示す。
【００６１】
周波数ｆｄの希望波は減衰度Ｌ０を受けて信号レベルＶｄ−Ｌ０となる（Ｂ２１）。周波数ｆａの妨害波は減衰度Ｌａ１を受けて信号レベルＶａ−Ｌａ１となる（Ｂ２２）。周波数ｆｂの妨害波は減衰度Ｌｂ１を受けて信号レベルＶａ−Ｌｂ１となる（Ｂ２３）。
【００６２】
チューナブル帯域フィルタ１２を出力された信号は、歪み素子１３に入力される。歪み素子１３は周波数ｆａと周波数ｆｂの妨害波信号の信号レベルに応じて、相互変調（ＩＭ）歪みを発生させる。今、希望波と妨害波の周波数の関係が式１で表される関係にあるため、ＩＭ歪みで生じる信号の中で、３次ＩＭ歪み信号のうちの一つが希望波と同じ周波数となる。
【００６３】
その理由は、周波数ｆａとｆｂの信号が３次ＩＭ歪みを起こした時に発生するＩＭ歪み信号の周波数は、２×ｆａ−ｆｂ、および２×ｆｂ−ｆａの２つであり、その中で周波数２×ｆａ−ｆｂの信号は、希望波の周波数ｆｄと等しくなるためである。周波数の関係を式２に示した。なお、式２の式の変換に、式１の関係を使った。
２×ｆａ−ｆｂ＝ｆａ＋（ｆａ−ｆｂ）＝ｆａ＋（ｆｄ−ｆａ）＝ｆｄ    （式２）
図４（ｃ）は、歪み素子１３の出力信号のレベル特性図（スペクトラム）を示す。
【００６４】
歪み素子１３の出力信号のうち周波数ｆｄである信号には、歪み素子１３に周波数ｆｄで入力されて出力される信号（Ｂ３１）と、歪み素子１３に異なる周波数で入力されてＩＭ歪みのために周波数ｆｄとなって出力される信号（Ｂ３２）の２つが含まれることになる。
【００６５】
歪み素子１３は、歪み素子１３に周波数ｆｄで入力されて出力される信号（Ｂ３１）と、歪み素子１３に異なる周波数で入力されてＩＭ歪みのために周波数ｆｄとなって出力される信号（Ｂ３２）の２つを復調回路１４に出力する。
【００６６】
歪み素子１３に周波数ｆｄで入力されて出力される信号（Ｂ３１）のレベルをＶｄ１、歪み素子１３に異なる周波数で入力されてＩＭ歪みのために周波数ｆｄとなって出力される歪み信号（Ｂ３２）のレベルをＶｉｍ１とする。
【００６７】
歪み素子１３に異なる周波数で入力されてＩＭ歪みのため周波数ｆｄとなって出力される歪み信号のレベルＶｉｍ１は、ＩＭ歪みを発生させる元となる周波数ｆａと周波数ｆｂの妨害波の信号レベルが大きいほど信号レベルが大となる。
【００６８】
復調回路１４は、周波数ｆｄの信号を復調して得られた低周波信号をＳメータ測定回路１６へ出力する。復調回路１４が復調するべき信号は、歪み素子１３に周波数ｆｄで入力されて出力される希望波信号（Ｂ３１）であるが、歪み素子１３に異なる周波数で入力されてＩＭ歪みのために周波数ｆｄとなって出力されるＩＭ歪み信号（Ｂ３２）は同一周波数の妨害波であるため区別することができない。
【００６９】
したがって、Ｓメータ測定回路１６は、信号レベルＶｄ１となる希望波信号もしくは信号レベルＶｉｍ１となるＩＭ歪み信号のうち信号レベルの大きい信号の信号レベルをＳメータ測定値Ｓ１として、Ｓメータ比較回路１７へ出力する。Ｓメータ比較回路１７は、Ｓ１の値を記憶する。
【００７０】
ここまでの信号レベルの関係を表１に示す。
【００７１】
【表１】
2012209627.tif 000003
次に、相互変調歪み検出装置１０がＩＭ歪み検出試験モードを開始した場合について説明する（図２のステップＳ３３）。
【００７２】
このとき、チューナブル帯域フィルタ１２の中心周波数設定回路１５は、チューナブル帯域フィルタ１２の中心周波数を受信周波数ｆｄから周波数シフト幅Δｆだけシフトさせる。
【００７３】
周波数シフト幅Δｆは、妨害波信号の周波数（周波数ｆａと周波数ｆｂ）の中央付近となるように選ぶ。このとき、チューナブル帯域フィルタ１２の減衰度は、図３の減衰度曲線Ａ１からＡ２へ変化する。
【００７４】
チューナブル帯域フィルタ１２の中心周波数のシフトのため、周波数ｆｄ、周波数ｆａ、周波数ｆｂの各信号のチューナブル帯域フィルタ１２を通過する前後の減衰度が変化する。
【００７５】
周波数ｆｄの信号の減衰度はＬ０からＬｄ２に増大し（Ｌ０＜Ｌｄ２）、周波数ｆａの信号の減衰度はＬａ１からほぼＬ０に減少する（Ｌａ１＞Ｌ０）。同じように、周波数ｆｂの信号の減衰度はＬｂ１からほぼＬ０に減少する（Ｌｂ１＞Ｌ０）。
【００７６】
このときのチューナブル帯域フィルタ１２の出力レベルの特性図（スペクトラム）を図４（ｂ）に破線で示す。周波数ｆｄの希望波は減衰度Ｌｄ２を受けて信号レベルＶｄ−Ｌｄ２なる（Ｂ２４）。
【００７７】
周波数ｆａの妨害波は減衰度Ｌ０を受けて信号レベルＶａ−Ｌ０となる（Ｂ２５）。周波数ｆｂの妨害波は減衰度Ｌ０を受けて信号レベルＶａ−Ｌ０となる（Ｂ２６）。
チューナブル帯域フィルタ１２の出力信号の信号レベルを、周波数ごとにチューナブル帯域フィルタ１２の中心周波数をシフトする前後で比較する。
【００７８】
周波数ｆｄの希望波信号の信号レベルは、チューナブル帯域フィルタ１２の中心周波数のシフト前の信号レベルＶｄ−Ｌ０であるのに対し、チューナブル帯域フィルタ１２の中心周波数のシフト後は信号レベルＶｄ−Ｌｄ２である。Ｌｄ２＞Ｌ０であるから、チュー
ナブル帯域フィルタ１２の中心周波数のシフト後は信号レベルが低下する。
【００７９】
次に周波数ｆａの妨害波信号の信号レベルは、チューナブル帯域フィルタ１２の中心周波数のシフト前の信号レベルＶａ−Ｌａ１であるのに対し、チューナブル帯域フィルタ１２の中心周波数のシフト後は信号レベルＶａ−Ｌ０である。
【００８０】
Ｌ０＜Ｌａ１であるから、チューナブル帯域フィルタ１２の中心周波数のシフト後は信号レベルが増大する。
【００８１】
次に周波数ｆｂの妨害波信号の信号レベルは、チューナブル帯域フィルタ１２の中心周波数のシフト前の信号レベルＶａ−Ｌｂ１であるのに対し、チューナブル帯域フィルタ１２の中心周波数のシフト後は信号レベルＶａ−Ｌ０である。
【００８２】
Ｌ０＜Ｌｂ１であるから、シフト後は信号レベルが増大する。すなわち、チューナブル帯域フィルタ１２の中心周波数のシフト後は、希望波の信号レベルが低下し、ＩＭ歪みを発生させる元となる妨害波の信号レベルが増大する。
【００８３】
相互変調歪み検出試験モード開始後、すなわちチューナブル帯域フィルタ１２の中心周波数のシフト後の歪み素子１３の出力信号のレベル特性図を図４（ｄ）に示す。歪み素子１３に周波数ｆｄで入力されて出力される希望波信号（Ｂ４１）のレベルをＶｄ２、歪み素子１３に異なる周波数で入力されてＩＭ歪みのために周波数ｆｄとなって出力されるＩＭ歪み信号（Ｂ４２）のレベルをＶｉｍ２とする。
【００８４】
希望波とＩＭ歪み信号の歪み素子１３の出力レベルを、チューナブル帯域フィルタ１２の中心周波数をシフトする前後で比較する。
【００８５】
ＩＭ歪みを発生させる元となる周波数ｆａと周波数ｆｂの妨害波のチューナブル帯域フィルタ１２の出力レベルが増大したため、ＩＭ歪みのため周波数ｆｄとなって出力されるＩＭ歪み信号のレベルは増大する（Ｖｉｍ１＜Ｖｉｍ２）。
【００８６】
一方で、周波数ｆｄの希望波のチューナブル帯域フィルタ１２の出力レベルが低下したため、歪み素子１３に周波数ｆｄで入力されて出力される信号のレベルは低下する（Ｖｄ１＞Ｖｄ２）。
【００８７】
復調回路１４は、周波数ｆｄの信号を復調し、復調信号の信号レベルをＳメータ測定回路１６へ出力する。復調回路１４が復調するべき信号は、歪み素子１３に周波数ｆｄで入力されて出力される希望波信号（Ｂ４１）であるが、歪み素子１３に異なる周波数で入力されてＩＭ歪みのために周波数ｆｄとなって出力されるＩＭ歪み信号（Ｂ４２）は同一周波数の信号であるため区別することができない。
【００８８】
したがって、Ｓメータ測定回路１６は、信号レベルＶｄ２である希望波信号もしくは信号レベルＶｉｍ２であるＩＭ歪み信号のうち信号レベルの大である方の信号の信号レベルをＳメータ測定値Ｓ２として、Ｓメータ比較回路１７へ出力する。Ｓメータ比較回路１７は、Ｓ２の値を記憶する。
【００８９】
相互変調歪み検出試験モード開始後の信号レベルの関係を表２に示す。
【００９０】
【表２】
2012209627.tif 000004
次に、チューナブル帯域フィルタ１２の中心周波数シフト前後の希望波とＩＭ歪み信号の歪み素子１３の出力レベルの変化を表３に示す。希望波のレベルが減少するのに対し、ＩＭ歪み信号の信号レベルは増大する。
【００９１】
【表３】
2012209627.tif 000005
次に、Ｓメータ比較回路１７にて、チューナブル帯域フィルタ１２の中心周波数シフト前のＳメータＳ１と、チューナブル帯域フィルタ１２の中心周波数シフト後のＳメータＳ２を比較する。次の３つの場合に分けて説明する。
【００９２】
（１）受信モードにおいて希望波よりＩＭ歪み信号のレベルが大きい場合。
すなわちチューナブル帯域フィルタ１２の中心周波数が希望波周波数ｆｄと等しいときの希望波の歪み素子１３からの出力レベルＶｄ１が、ＩＭ歪み信号の出力レベルＶｉｍ１より小さい場合（Ｖｄ１＜Ｖｉｍ１）。
【００９３】
このとき、Ｓ１＝Ｖｉｍ１となる。次に、チューナブル帯域フィルタ１２の中心周波数シフト後は、Ｖｄ２＜Ｖｄ１、Ｖｉｍ２＞Ｖｉｍ１だから、必ず、Ｖｄ２＜Ｖｉｍ２となり、Ｓ２＝Ｖｉｍ２となる。
【００９４】
この条件は、受信モードの段階で歪み素子１３においてＩＭ歪み信号が発生していて、希望波の出力レベルＶｄ１よりＩＭ歪み信号の出力レベルＶｉｍ１の方が大きいために、ＩＭ歪み信号が復調されていた場合に相当する。チューナブル帯域フィルタ１２の中心周波数のシフト前後のＳメータを比べると、Ｓ１＜Ｓ２となるので、ＩＭ歪みが発生していると判定する。
【００９５】
（２）受信モードにおいて希望波よりＩＭ歪み信号のレベルが小さく、ＩＭ歪み検出試験モードで希望波よりＩＭ歪み信号のレベルの方が大きくなる場合。
【００９６】
すなわち、チューナブル帯域フィルタ１２の中心周波数が希望波周波数ｆｄと等しいときの希望波の歪み素子１３からの出力レベルＶｄ１が、ＩＭ歪み信号の出力レベルＶｉｍ１より大きく（Ｖｄ１＞Ｖｉｍ１）、チューナブル帯域フィルタ１２の中心周波数をシフトした後の希望波の歪み素子１３からの出力レベルＶｄ２が、ＩＭ歪み信号の出力レベル
Ｖｉｍ２より小さい場合（Ｖｄ２＜Ｖｉｍ２）。このとき、Ｓ１＝Ｖｄ１、Ｓ２＝Ｖｉｍ２となる。
【００９７】
この条件は、受信モードの段階では希望波のレベルがＩＭ歪み信号より大きいので希望波を復調していたが、ＩＭ歪み検出試験モードに入った後、歪み素子１３において強いＩＭ歪み信号が発生し、希望波のレベルよりＩＭ歪み信号のレベルの方が大きくなってＩＭ歪み信号が復調された場合に相当する。
【００９８】
チューナブル帯域フィルタ１２の中心周波数のシフト前後のＳメータを比べると、Ｓ１とＳ２の大小関係は不定である（つまりＳ１＜Ｓ２となる場合も、Ｓ１＞Ｓ２となる場合もある）。受信モードの段階では希望波を復調していたので、必ずしもＩＭ歪みは検出しない。
【００９９】
（３）受信モードにおいて希望波よりＩＭ歪み信号のレベルが小さく、ＩＭ歪み検出試験モードにおいても希望波よりＩＭ歪み信号のレベルの方が小さくなる場合。
【０１００】
すなわち、チューナブル帯域フィルタ１２の中心周波数が希望波周波数と等しいときの希望波の歪み素子１３からの出力レベルＶｄ１が、ＩＭ歪み信号の出力レベルＶｉｍ１より大きく（Ｖｄ１＞Ｖｉｍ１）、チューナブル帯域フィルタ１２の中心周波数シフト後の希望波の歪み素子１３からの出力レベルＶｄ２が、ＩＭ歪み信号の出力レベルＶｉｍ２より大きい場合（Ｖｄ２＞Ｖｉｍ２）。このとき、Ｓ１＝Ｖｄ１、Ｓ２＝Ｖｄ２となる。
【０１０１】
この条件は、受信モードの段階でも、ＩＭ歪み検出試験モードの段階でも、希望波よりＩＭ歪み信号のレベルが小さいので、どちらのモードでも希望波が復調された場合に相当する。チューナブル帯域フィルタ１２の中心周波数シフト前後のＳメータの変化を比べると、Ｓ１＞Ｓ２となる。したがって、ＩＭ歪みは検出しない。
【０１０２】
以上をまとめると、表４のようになる。
【０１０３】
【表４】
2012209627.tif 000006
なお、ＩＭ歪みが発生していない場合は、表４の条件（３）に該当するので、チューナブル帯域フィルタ１２の中心周波数シフト前後のＳメータの変化を比べると、Ｓ１＞Ｓ２となる。したがって、ＩＭ歪みは検出しない。
【０１０４】
以上のように、本実施の形態によれば、チューナブル帯域フィルタ１２の通過帯域の中心周波数をシフトする前後のＳメータを比較することにより、ＩＭ歪みを検出することができる。
（実施の形態２）
以下、本発明の実施の形態２における相互変調歪み検出装置１０について図面を参照しながら説明する。
【０１０５】
実施の形態２における相互変調歪み検出装置１０の構成を示すブロック図は、実施の形態１における相互変調歪み検出装置１０の構成を示すブロック図と同じである。そのため同一の構成要素には同一の符号を付して、その詳細な説明は省略する。
【０１０６】
実施の形態２と実施の形態１との相違点は、ＩＭ歪み検出試験モードにおいて、チューナブル帯域フィルタ１２の通過帯域の中心周波数を高周波数側にシフトしてＩＭ歪み検出試験を行い、その結果ＩＭ歪みを検出しなかった場合、次に、チューナブル帯域フィルタ１２の通過帯域の中心周波数を低周波数側にシフトして同じ試験を行う点である。
【０１０７】
図５は本発明の実施の形態２における相互変調歪み検出装置１０の動作説明のフローチャートである。ステップＳ４２までは、実施の形態１と同じであるので説明を省略する。
【０１０８】
復調回路１４が、ＩＭ歪み検出試験モードを開始することを選んだ場合（ステップＳ４３のＹＥＳ）、チューナブル帯域フィルタ１２の中心周波数設定回路１５は、中心周波数を受信周波数より高周波数側へ所定量だけシフトさせるため、チューナブル帯域フィルタ１２に制御信号を出力する。
【０１０９】
チューナブル帯域フィルタ１２の通過帯域の中心周波数は、復調回路１４の受信周波数より高周波数側へ所定量だけシフトする。復調回路１４は、復調回路１４に入力された高周波信号を復調して得た低周波信号をＳメータ測定回路１６に出力する。
【０１１０】
Ｓメータ測定回路１６は、復調回路１４から入力された低周波信号のＳメータ（Ｓ２）を測定し、Ｓメータ比較回路１７へ出力する。Ｓメータ比較回路１７は、Ｓメータ（Ｓ２）を記憶する（ステップＳ４４）。
【０１１１】
次に、Ｓメータ比較回路１７では、チューナブル帯域フィルタ１２の通過帯域の中心周波数が復調回路１４の受信周波数と等しいときの受信周波数のＳメータＳ１と、チューナブル帯域フィルタ１２の通過帯域の中心周波数が復調回路１４の受信周波数より高周波数側へ所定量のシフトをしているときの受信周波数のＳメータＳ２の大小を比較する（ステップＳ４５）。
【０１１２】
Ｓメータ比較回路１７は、Ｓ２がＳ１より大となったときにＩＭ歪みが生じていると判断する。同時に、ＩＭ歪みを発生させる妨害波の周波数は、受信周波数より高周波数側であると判断する（ステップＳ４６）。
【０１１３】
一方、Ｓメータ比較回路１７において、Ｓ２がＳ１より小となったときは、チューナブル帯域フィルタ１２の中心周波数設定回路１５は、中心周波数を受信周波数より低周波数側へ所定量だけシフトさせるため、チューナブル帯域フィルタ１２に制御信号を出力する。
【０１１４】
チューナブル帯域フィルタ１２の通過帯域の中心周波数は、復調回路１４の受信周波数より低周波数側へ所定量だけシフトする。復調回路１４は、復調回路１４に入力された高周波信号を復調して得た低周波信号をＳメータ測定回路１６に出力する。
【０１１５】
Ｓメータ測定回路１６は、復調回路１４から入力された低周波信号のＳメータ（Ｓ３）を測定し、Ｓメータ比較回路１７へ出力する。Ｓメータ比較回路１７は、Ｓメータ（Ｓ３）を記憶する（ステップＳ４７）。
【０１１６】
次に、Ｓメータ比較回路１７では、チューナブル帯域フィルタ１２の通過帯域の中心周波数が復調回路１４の受信周波数と等しいときの受信周波数のＳメータＳ１と、チューナブル帯域フィルタ１２の通過帯域の中心周波数が復調回路１４の受信周波数より低周波数側へ所定量のシフトをしているときの受信周波数のＳメータＳ３の大小を比較する（ステップＳ４８）。
【０１１７】
Ｓメータ比較回路１７は、Ｓ３がＳ１より大となったときにＩＭ歪みが生じていると判断する。同時に、ＩＭ歪みを発生させる妨害波の周波数は、受信周波数より低周波数側であると判断する（ステップＳ４９）。
【０１１８】
一方、Ｓメータ比較回路１７は、Ｓ３がＳ１より小となったときはＩＭ歪みが生じていないと判断する（ステップＳ５０）。その場合、受信モードに戻り、通常の受信動作を再開する。
【０１１９】
以上のように構成された相互変調歪み検出装置１０について、以下で、処理動作の実施例を説明する。チューナブル帯域フィルタ１２の減衰度の周波数特性の例を図６に示す。図６の横軸は、チューナブル帯域フィルタ１２に入力される高周波信号の周波数、縦軸は高周波信号がチューナブル帯域フィルタ１２を通過する前後に受ける減衰度である。
【０１２０】
受信モード時は、チューナブル帯域フィルタ１２の通過帯域の中心周波数は受信周波数ｆｄと等しい。このときのチューナブル帯域フィルタ１２の減衰度を曲線Ａ１で表す。
ＩＭ歪み検出試験モード開始後、図５のステップＳ４４において、チューナブル帯域フィルタ１２の通過帯域の中心周波数を受信周波数ｆｄより高周波数側へ所定量（＋Δｆ）だけシフトする。このときのチューナブル帯域フィルタ１２の減衰度をの曲線Ａ２で表す。
【０１２１】
図５のステップＳ４７において、チューナブル帯域フィルタ１２の通過帯域の中心周波数を受信周波数ｆｄより低周波数側へ所定量（−Δｆ）だけシフトする。このときのチューナブル帯域フィルタ１２の減衰度を曲線Ａ３で表す。
【０１２２】
次に、それぞれの条件における高周波信号の減衰度について説明する。
まず、受信周波数ｆｄの希望波に対し、ＩＭ歪みを発生させる妨害波の周波数が高周波数側であるとき、妨害波の周波数を周波数ｆａ１、周波数ｆｂ１（ｆｄ＜ｆａ１＜ｆｂ１）とする。
【０１２３】
受信モード時、周波数ｆｄの希望波、周波数ｆａ１およびｆｂ１の妨害波がチューナブル帯域フィルタ１２の通過前後に受ける減衰度をＬ０、Ｌａ１、Ｌｂ１とするとき、周波数がチューナブル帯域フィルタ１２の中心周波数から離れるほどチューナブル帯域フィルタ１２の減衰度が増すので、各々の周波数ごとの減衰度の大小の関係は、希望波の減衰度が最も小さく、妨害波の減衰度がより大きい関係（Ｌ０＜Ｌａ１＜Ｌｂ１）となる。
【０１２４】
次に、チューナブル帯域フィルタ１２の中心周波数が高周波数側へ周波数幅Δｆ（中心周波数ｆｄ＋Δｆは、妨害波の周波数ｆａとｆｂの中間であるとする）だけシフトしたとき、妨害波の周波数ｆａとｆｂはチューナブル帯域フィルタ１２の中心周波数ｆｄ＋Δｆとの差が小さく、希望波の周波数ｆｄとチューナブル帯域フィルタ１２の中心周波数ｆｄ＋Δｆの差が大きくなる。このとき、周波数ｆｄの希望波の減衰度をＬｄ２、周波数ｆａ１、ｆｂ１の妨害波の減衰度をほぼＬ０とする。
【０１２５】
チューナブル帯域フィルタ１２の中心周波数ｆｄ＋Δｆと近いほど減衰度が小さいので、希望波の減衰度は、チューナブル帯域フィルタ１２の中心周波数が希望波の周波数と等しいときの減衰度Ｌ０と比べて増大する（Ｌｄ２＞Ｌ０）。
【０１２６】
次に、チューナブル帯域フィルタ１２の中心周波数が受信周波数より低周波数側へΔｆだけシフトしたとき、妨害波の周波数ｆａおよびｆｂとチューナブル帯域フィルタ１２の中心周波数ｆｄ−Δｆとの差は、希望波の周波数ｆｄとチューナブル帯域フィルタ１２の中心周波数ｆｄ−Δｆの差よりも大きくなる。このとき、周波数ｆｄの希望波の減衰度を
Ｌｄ２とする。
【０１２７】
周波数ｆａ１の妨害波の周波数ｆａ１とチューナブル帯域フィルタ１２の中心周波数ｆｄ−Δｆとの差は、チューナブル帯域フィルタ１２の中心周波数が希望波周波数ｆｄと等しいときの周波数の差よりも周波数シフト幅Δｆだけ大きくなるので、減衰度もチューナブル帯域フィルタ１２の中心周波数が希望波周波数ｆｄと等しいときの減衰度Ｌａ１よりさらに大となる。
【０１２８】
同様に、周波数ｆｂ１の妨害波の周波数ｆｂ１とチューナブル帯域フィルタ１２の中心周波数ｆｄ−Δｆとの差は、チューナブル帯域フィルタ１２の中心周波数が希望波周波数ｆｄと等しいときの周波数の差よりも周波数シフト幅Δｆだけ大きくなるので、減衰度もチューナブル帯域フィルタ１２の中心周波数が希望波周波数ｆｄと等しいときの減衰度Ｌｂ１よりさらに大となる。
【０１２９】
したがって、チューナブル帯域フィルタ１２の通過帯域の中心周波数を受信周波数ｆｄよりも高周波数側へシフトさせたときのみ、周波数ｆａ１とｆｂ１の妨害波が、チューナブル帯域フィルタ１２を通過する前後に受ける減衰度が受信モード時より少なくなり（つまりチューナブル帯域フィルタ１２を出力される信号レベルが増大する）、同時に周波数ｆｄの希望波がチューナブル帯域フィルタ１２を通過する前後に受ける減衰度が受信モードの時より大きくなる（つまりチューナブル帯域フィルタ１２を出力される信号レベルが減少する）。
【０１３０】
以上の信号レベルの関係を表５に示す（表５中で、「希望波のレベルの増減」「妨害波のレベルの増減」は、ともにチューナブル帯域フィルタ１２の中心周波数がｆｄであるときのチューナブル帯域フィルタ１２の出力信号のレベルを基準としたときの希望波および妨害波それぞれのチューナブル帯域フィルタ１２の出力信号のレベルの増減を表す）。
【０１３１】
【表５】
2012209627.tif 000007
そのため、チューナブル帯域フィルタ１２の中心周波数を受信周波数ｆｄより高周波数側へシフトしたとき、歪み素子１３に入力される希望波の信号レベルは低下し、妨害波の信号レベルは増大する。
【０１３２】
したがって、チューナブル帯域フィルタ１２の中心周波数を受信周波数ｆｄより高周波数側へシフトしたとき、歪み素子１３を出力される信号の中で、希望波の信号レベルが低下し、ＩＭ歪み信号の信号レベルが増大する。
【０１３３】
以上の理由から、受信モードにおいて歪み素子１３がＩＭ歪みを発生させていてＩＭ歪み信号の信号レベルが希望波の信号レベルより大きかった場合、チューナブル帯域フィルタ１２の中心周波数を受信周波数より高周波数側へシフトしたときは、歪み素子１３を出力されて復調回路１４に入力される信号の中で、ＩＭ歪み信号の信号レベルが上がり、希望波の信号レベルが下がるので、ＩＭ歪み信号が復調回路１４で復調され、得られた低周
波信号がＳメータ測定回路１６へ送られる。
【０１３４】
そのため、チューナブル帯域フィルタ１２の中心周波数を高周波数側へシフトしたときのＳメータＳ２が、受信モードのＳメータＳ１より大となるため、ＩＭ歪みが検出される。同時に、妨害波の周波数が受信周波数より高周波数側であることがわかる。
【０１３５】
なお、受信周波数ｆｄの希望波に対し、ＩＭ歪みを発生させる妨害波の周波数が低周波数側であるときもほぼ同様の手順を行う。チューナブル帯域フィルタ１２の中心周波数を、受信周波数より低周波数側へシフトしたときにＩＭ歪みが検出されることから、妨害波の周波数が受信周波数より低周波数側であることがわかる。
【０１３６】
つまり、実施の形態２では、チューナブル帯域フィルタ１２の中心周波数を、受信周波数より高周波数側と低周波数側へシフトさせ、シフト前のＳメータと比較する構成としたことにより、ＩＭ歪みの検出と、妨害波の周波数が受信周波数より高周波数側か低周波数側かの判断を同時に行うことができる。
【０１３７】
なお、図５のフローチャートでは、ＩＭ歪み検出試験モードを開始した後、先にチューナブル帯域フィルタ１２の中心周波数を高周波数側へシフトし（ステップＳ４４）、ＩＭ歪みが検出されなかった場合に（ステップＳ４５のＮＯ）、チューナブル帯域フィルタ１２の中心周波数を低周波数側へシフトする（ステップＳ４７）構成としているが、先にチューナブル帯域フィルタ１２の中心周波数を低周波数側へシフトし、ＩＭ歪みが検出されなかった場合に、チューナブル帯域フィルタ１２の中心周波数を高周波数側へシフトする構成としてもよい。
（実施の形態３）
以下、本発明の実施の形態３における相互変調歪み検出装置１０について図面を参照しながら説明する。
【０１３８】
実施の形態３における相互変調歪み検出装置１０の構成を示すブロック図は、実施の形態１における相互変調歪み検出装置１０の構成を示すブロック図と同じである。そのため同一の構成要素には同一の符号を付して、その詳細な説明は省略する。
【０１３９】
実施の形態３と実施の形態１との相違点は、ＩＭ歪み検出試験モードにおいて、チューナブル帯域フィルタ１２の通過帯域の中心周波数を第１の周波数幅だけシフトさせて、復調回路１４にて高周波信号を復調して得られた低周波信号のＳメータをＳメータ測定回路１６にて測定した後、チューナブル帯域フィルタ１２の通過帯域の中心周波数を第２の周波数幅だけシフトさせて、同様に、復調回路１４にて高周波信号を復調して得られた低周波信号のＳメータをＳメータ測定回路１６にて測定し、同様の試験を行う点である。
【０１４０】
図７は本発明の実施の形態３における相互変調歪み検出装置１０の動作説明のフローチャートである。
【０１４１】
ステップＳ６２までは、実施の形態１と同じであるので説明を省略する。復調回路１４が、ＩＭ歪み検出試験モードを開始することを選んだ場合（ステップＳ６３のＹＥＳ）、チューナブル帯域フィルタ１２の中心周波数設定回路１５は、中心周波数を受信周波数から第１の周波数幅（Δｆ１）だけシフトさせるため、チューナブル帯域フィルタ１２に制御信号を出力する。
【０１４２】
チューナブル帯域フィルタ１２の通過帯域の中心周波数は、復調回路１４の受信周波数ｆｄから、第１の周波数幅（Δｆ１）だけシフトする。復調回路１４は、復調回路１４に入力された高周波信号を復調して得た低周波信号をＳメータ測定回路１６に出力する。
【０１４３】
Ｓメータ測定回路１６は、復調回路１４から入力された低周波信号のＳメータ（Ｓ２）を、Ｓメータ比較回路１７へ出力する。Ｓメータ比較回路１７は、Ｓメータ（Ｓ２）を記憶する（ステップＳ６４）。
【０１４４】
次に、チューナブル帯域フィルタ１２の中心周波数設定回路１５は、中心周波数を受信周波数から第２の周波数幅（Δｆ２）だけシフトさせるため、チューナブル帯域フィルタ１２に制御信号を出力する。チューナブル帯域フィルタ１２の通過帯域の中心周波数は、復調回路１４の受信周波数ｆｄから、第２の周波数幅（Δｆ２）だけシフトする。
【０１４５】
復調回路１４は、復調回路１４に入力された高周波信号を復調して得た低周波信号をＳメータ測定回路１６に出力する。Ｓメータ測定回路１６は、復調回路１４から入力された低周波信号のＳメータ（Ｓ３）を、Ｓメータ比較回路１７へ出力する。Ｓメータ比較回路１７は、Ｓメータ（Ｓ３）を記憶する（ステップＳ６５）。
【０１４６】
次に、Ｓメータ比較回路１７では、チューナブル帯域フィルタ１２の通過帯域の中心周波数が復調回路１４の受信周波数と等しいときの受信周波数のＳメータＳ１と、チューナブル帯域フィルタ１２の通過帯域の中心周波数が復調回路１４の受信周波数より第１の周波数幅（Δｆ１）だけシフトをしているときの受信周波数のＳメータＳ２の大小を比較し、さらに、チューナブル帯域フィルタ１２の通過帯域の中心周波数が復調回路１４の受信周波数と等しいときの受信周波数のＳメータＳ１と、チューナブル帯域フィルタ１２の通過帯域の中心周波数が復調回路１４の受信周波数より第２の周波数幅（Δｆ２）だけシフトをしているときの受信周波数のＳメータＳ３の大小を比較する（ステップＳ６６）。
【０１４７】
Ｓメータ比較回路１７は、Ｓ２がＳ１より大、またはＳ３がＳ１より大となったときにＩＭ歪みが生じていると判断する（ステップＳ６６のＹＥＳ）。
【０１４８】
Ｓメータ比較回路１７は、Ｓ２がＳ１より大、またはＳ３がＳ１より大となりＩＭ歪みが生じていると判断したときはＳ２とＳ３の大小を比較する（ステップＳ６７）。
【０１４９】
Ｓ２がＳ３より大となったときは、ＩＭ歪みを発生させている２波以上の妨害波の周波数の中心は、希望波の周波数ｆｄに対し、第１の周波数幅（Δｆ１）シフトした周波数、すなわち周波数ｆｄ＋Δｆ１の近傍であると判断する（ステップＳ６８）。
【０１５０】
Ｓ２がＳ３より小となったときは、ＩＭ歪みを発生させている２波以上の妨害波の周波数の中心は、希望波の周波数ｆｄに対し、第２の周波数幅（Δｆ１）シフトした周波数、すなわち周波数ｆｄ＋Δｆ２の近傍であると判断する（ステップＳ７０）。
【０１５１】
一方、Ｓ２がＳ１より小、かつＳ３がＳ１より小となったときは、ＩＭ歪みは発生していないと判断して（ステップＳ６９）、通常の受信モードに戻る。
【０１５２】
以上のように構成された相互変調歪み検出装置１０について、以下で、処理動作の実施例を説明する。
【０１５３】
チューナブル帯域フィルタ１２の減衰度の周波数特性の例を図８に示す。図８の横軸は、チューナブル帯域フィルタ１２に入力される高周波信号の周波数、縦軸は高周波信号がチューナブル帯域フィルタ１２を通過する前後に受ける減衰度である。
【０１５４】
受信モード時は、チューナブル帯域フィルタ１２の通過帯域の中心周波数は受信周波数ｆｄと等しい。このときのチューナブル帯域フィルタ１２の減衰度を曲線Ａ４で表す。
【０１５５】
ＩＭ歪み検出試験モード開始後、図７のステップＳ６４において、チューナブル帯域フィルタ１２の通過帯域の中心周波数を受信周波数ｆｄより第１の周波数幅（Δｆ１）だけシフトする。このときのチューナブル帯域フィルタ１２の減衰度を曲線Ａ５で表す。
【０１５６】
図７のステップＳ６５において、チューナブル帯域フィルタ１２の通過帯域の中心周波数を受信周波数ｆｄより第２の周波数幅（Δｆ２）だけシフトする。このときのチューナブル帯域フィルタ１２の減衰度を曲線Ａ６で表す。
【０１５７】
次に、周波数の関係について説明する。受信周波数ｆｄの希望波に対し、ＩＭ歪みを発生させる妨害波の周波数を周波数ｆａ１、ｆｂ１（ｆｄ＜ｆａ１＜ｆｂ１）とする。
【０１５８】
また、チューナブル帯域フィルタ１２の中心周波数を受信周波数から第１の周波数幅（Δｆ１）だけシフトさせたときの中心周波数（ｆｄ＋Δｆ１）は、希望波周波数ｆｄと周波数が低周波数側の妨害波の周波数ｆａ１の間であるとする（ｆｄ＜ｆｄ＋Δｆ１＜ｆａ１）。
【０１５９】
また、チューナブル帯域フィルタ１２の中心周波数を受信周波数から第２の周波数幅（Δｆ２）だけシフトさせたときの中心周波数（ｆｄ＋Δｆ２）は、２つの妨害波の周波数ｆａ１とｆｂ１の間であるとする（ｆａ１＜ｆｄ＋Δｆ２＜ｆｂ１）。
【０１６０】
次に、周波数ごとのチューナブル帯域フィルタ１２の減衰度について説明する。受信モード時、周波数ｆｄの希望波、周波数ｆａ１、ｆｂ１の妨害波がチューナブル帯域フィルタ１２の通過前後に受ける減衰度をＬ０、Ｌａ１、Ｌｂ１とするとき、周波数がチューナブル帯域フィルタ１２の中心周波数から離れるほど減衰度が増すので、Ｌ０＜Ｌａ１＜Ｌｂ１となる。
【０１６１】
次に、チューナブル帯域フィルタ１２の中心周波数を受信周波数ｆｄから第１の周波数幅（Δｆ１）だけシフトしたとき、周波数ｆｄの希望波の減衰度はほぼＬ０、周波数ｆａ１の妨害波の減衰度もほぼＬ０となり、周波数ｆｂ１の妨害波の減衰度をＬｂ２とする。
【０１６２】
チューナブル帯域フィルタ１２の中心周波数のシフト前後の、チューナブル帯域フィルタ１２の中心周波数と希望波、妨害波の周波数の差の変化を比べる。希望波の周波数ｆｄとチューナブル帯域フィルタ１２の中心周波数の差は、チューナブル帯域フィルタ１２の中心周波数の周波数シフト幅Δｆ１だけ増大する。
【０１６３】
低周波数側の妨害波の周波数ｆａ１とチューナブル帯域フィルタ１２の中心周波数の差は、チューナブル帯域フィルタ１２の中心周波数の周波数シフト幅Δｆ１だけ減少する。同様に、高周波数側の妨害波の周波数ｆｂ１とチューナブル帯域フィルタ１２の中心周波数の差も、チューナブル帯域フィルタ１２の中心周波数の周波数シフト幅Δｆ１だけ減少する。
【０１６４】
このときチューナブル帯域フィルタ１２の中心周波数ｆｄ＋Δｆ１は、受信周波数ｆｄと低周波数側の妨害波の周波数ｆａ１の間である（ｆｄ＜ｆｄ＋Δｆ１＜ｆａ１）。
【０１６５】
そのため、周波数ｆａ１である低周波数側の妨害波のチューナブル帯域フィルタ１２の減衰度は、チューナブル帯域フィルタ１２の中心周波数が受信周波数ｆｄと等しいときの減衰度Ｌａ１から、ほぼＬ０まで減少する。
【０１６６】
また、周波数ｆｂ１である高周波数側の妨害波のチューナブル帯域フィルタ１２の減衰
度は、チューナブル帯域フィルタ１２の中心周波数が受信周波数ｆｄと等しいときの減衰度Ｌｂ１から、チューナブル帯域フィルタ１２の中心周波数をシフトした後の減衰度は、Ｌｂ２まで減少する。
【０１６７】
したがって、受信モードよりも、周波数ｆａ１およびｆｂ１の妨害波の減衰度は小さくなる。
【０１６８】
次に、チューナブル帯域フィルタ１２の中心周波数を受信周波数ｆｄから第２の周波数幅（Δｆ２）だけシフトしたとき、周波数ｆｄの希望波の減衰度をＬｄ２とし、周波数ｆａ１の妨害波の減衰度はほぼＬ０、周波数ｆｂ１の妨害波の減衰度もほぼＬ０となる。
【０１６９】
チューナブル帯域フィルタ１２の中心周波数が受信周波数ｆｄと等しいときと、中心周波数を周波数幅Δｆ２だけシフトした後の、チューナブル帯域フィルタ１２の中心周波数と希望波、妨害波の周波数の差の変化を比べる。希望波の周波数ｆｄとチューナブル帯域フィルタ１２の中心周波数の差は、チューナブル帯域フィルタ１２の中心周波数の周波数シフト幅Δｆ２だけ増大する。
【０１７０】
チューナブル帯域フィルタ１２の中心周波数ｆｄ＋Δｆ２は、２つの妨害波の周波数ｆａ１とｆｂ１の間である（ｆａ１＜ｆｄ＋Δｆ２＜ｆｂ１）としたので、低周波数側の妨害波の周波数ｆａ１とチューナブル帯域フィルタ１２の中心周波数の差は、チューナブル帯域フィルタ１２の中心周波数が受信周波数ｆｄと等しいときの受信周波数ｆｄと妨害波周波数ｆａ１の差（ｆａ１−ｆｄ）から、半分程度（（ｆａ１−ｆｄ）／２、すなわち（ｆｂ１−ｆａ１）／２と等しい）まで減少する。
【０１７１】
高周波数側の妨害波の周波数ｆｂ１とチューナブル帯域フィルタ１２の中心周波数の差は、チューナブル帯域フィルタ１２の中心周波数の周波数シフト幅Δｆ２だけ減少し、チューナブル帯域フィルタ１２の中心周波数が受信周波数ｆｄと等しいときの受信周波数ｆｄと妨害波周波数ｆｂ１の差（ｆｂ１−ｆｄ）から、周波数差（ｆａ１−ｆｄ）／２、すなわち周波数差（ｆｂ１−ｆａ１）／２まで減少する。
【０１７２】
このとき、チューナブル帯域フィルタ１２の中心周波数を受信周波数ｆｄから第１の周波数幅（Δｆ１）だけシフトしたときよりも、チューナブル帯域フィルタ１２の中心周波数を受信周波数ｆｄから第２の周波数幅（Δｆ２）だけシフトしたときの方が、希望波の周波数ｆｄとチューナブル帯域フィルタ１２の中心周波数の差が大きくなるので、希望波（周波数ｆｄ）のチューナブル帯域フィルタ１２の減衰度は、チューナブル帯域フィルタ１２の中心周波数を受信周波数ｆｄから第２の周波数幅（Δｆ２）だけシフトしたときの方が大きくなり、減衰度Ｌｄ２となる。
【０１７３】
また、このとき、チューナブル帯域フィルタ１２の中心周波数を受信周波数ｆｄから第１の周波数幅（Δｆ１）だけシフトしたときよりも、チューナブル帯域フィルタ１２の中心周波数を受信周波数ｆｄから第２の周波数幅（Δｆ２）だけシフトしたときの方が、高周波数側の妨害波の周波数ｆｂ１とチューナブル帯域フィルタ１２の中心周波数の差が小さくなるので、高周波数側の妨害波（周波数ｆｂ１）のチューナブル帯域フィルタ１２の減衰度は、チューナブル帯域フィルタ１２の中心周波数を受信周波数ｆｄから第２の周波数幅（Δｆ２）だけシフトしたときの方が小さくなり、ほぼＬ０となる。
【０１７４】
したがって、チューナブル帯域フィルタ１２の通過帯域の中心周波数を受信周波数ｆｄよりも第２の周波数幅（Δｆ２）だけシフトさせたときに、周波数ｆａ１とｆｂ１の妨害波が、チューナブル帯域フィルタ１２を通過する前後に受ける減衰度が受信モード時より少なくなり（チューナブル帯域フィルタ１２から出力される信号レベルが増大する）、か
つ最小となる（チューナブル帯域フィルタ１２から出力される信号レベルが最大となる）。
【０１７５】
同時に周波数ｆｄの希望波がチューナブル帯域フィルタ１２を通過する前後に受ける減衰度は受信モード時より大きくなる（つまりチューナブル帯域フィルタ１２から出力される信号レベルが減少する）。
【０１７６】
以上の信号レベルの関係を表６に示す（表６中で、「希望波のレベルの増減」「妨害波のレベルの増減」は、ともにチューナブル帯域フィルタ１２の中心周波数がｆｄであるときのチューナブル帯域フィルタ１２の出力信号のレベルを基準としたときの希望波および妨害波それぞれの増減を表す）。
【０１７７】
【表６】
2012209627.tif 000008
チューナブル帯域フィルタ１２の中心周波数を受信周波数ｆｄより第２の周波数幅（Δｆ２）だけシフトしたとき、歪み素子１３に入力される希望波の信号レベルは低下し、妨害波のレベルが増大し、最大となる。
【０１７８】
したがって、歪み素子１３の出力信号の中で、希望波の信号レベルが低下し、ＩＭ歪み信号の信号レベルが増大して最大となる。
【０１７９】
以上の理由から、チューナブル帯域フィルタ１２の中心周波数を、受信周波数ｆｄより第１の周波数幅（Δｆ１）だけシフトしたときに、ＩＭ歪み信号が復調回路１４で復調され、得られた低周波信号がＳメータ測定回路１６へ送られて測定されるＳメータＳ２と、チューナブル帯域フィルタ１２の中心周波数を、受信周波数ｆｄより第２の周波数幅（Δｆ２）だけシフトしたときに、ＩＭ歪み信号が復調回路１４で復調され、得られた低周波信号がＳメータ測定回路１６へ送られて測定されるＳメータＳ３を比較するとＳ３＞Ｓ２となる。
【０１８０】
したがって、ＩＭ歪みを検出できるだけでなく、ＩＭ歪みを発生させる元となる妨害波の周波数の中心は、周波数ｆｄ＋Δｆ２の近傍であることがわかる。
【０１８１】
なお、受信周波数ｆｄの希望波に対し、ＩＭ歪みを発生させる妨害波の周波数の中心が受信周波数ｆｄより第１の周波数幅（Δｆ１）だけシフトした周波数ｆｄ＋Δｆ１の近傍である時は、チューナブル帯域フィルタ１２の中心周波数を受信周波数ｆｄより第１の周波数幅（Δｆ１）だけシフトしたとき、歪み素子１３に入力される妨害波のレベルが最大となる。
【０１８２】
したがって、詳細な説明を省くが、Ｓ２＞Ｓ３となることから、ＩＭ歪みを発生させる元となる妨害波の周波数の中心は、周波数ｆｄ＋Δｆ１の近傍であることがわかる。
【０１８３】
つまり、実施の形態３では、受信モード時のＳメータとチューナブル帯域フィルタ１２
の中心周波数を第１の周波数幅だけシフトさせたときと、第２の周波数幅だけシフトさせたときのＳメータを比較する構成としたことにより、ＩＭ歪みの検出と、２波以上の妨害波の周波数の中心が受信周波数より、どの程度離れているかの判断を同時に行うことができる。
【０１８４】
なお、上記ではチューナブル帯域フィルタ１２の中心周波数のシフト幅として、２段階（周波数幅Δｆ１およびΔｆ２）におけるＳメータを測定して比較したが、３段階以上でもよい。また、チューナブル帯域フィルタ１２の中心周波数を受信周波数より高周波数側と低周波数側を含めて多段階にシフトさせて、Ｓメータを測定し比較してもよい。
【０１８５】
このとき、ＩＭ歪みを発生させる２波以上の妨害波の周波数の中心の推定の精度を上げることができる。
（実施の形態４）
以下、本発明の実施の形態４における相互変調歪み検出装置１０について図面を参照しながら説明する。図９は、実施の形態４における相互変調歪み検出装置１０の構成を示すブロック図である。
【０１８６】
実施の形態１における相互変調歪み検出装置１０の構成を示すブロック図である図１と異なる点は、ＡＧＣ回路１８（Ａｕｔｏ  Ｇａｉｎ  Ｃｏｎｔｒｏｌ：自動利得制御）が、入力端子１１とチューナブル帯域フィルタ１２の間に挿入されている点である。
【０１８７】
そのほかの実施の形態１における相互変調歪み検出装置１０の構成を示すブロック図と同一の構成要素には同一の符号を付して、その詳細な説明は省略する。
【０１８８】
ＡＧＣ回路１８は、復調回路１４に入力される高周波信号の信号レベルが、所定の閾値以上となることを防ぐための回路のゲイン調整を行う。
【０１８９】
その理由は、歪み素子１３および復調回路１４に所定のレベル以上の高周波信号が入力されると、歪み素子１３や復調回路１４の素子が飽和して波形が歪むことがあり、復調された信号のＳＮ比が劣化したり、ビット誤り率が低下したりすることがあるためである。
【０１９０】
相互変調歪みもその一例である。すなわち、ＡＧＣ回路１８は、復調回路１４に入力される高周波信号の信号レベルが、所定の閾値以上となることを防ぐことによって、相互変調歪み検出装置１０が受信して復調できる電力のダイナミックレンジの上限を上方へ上げる役割を担う。
【０１９１】
ＡＧＣ回路１８は、例えば、ＰＩＮダイオードなどを用いた減衰量可変回路や、低雑音増幅器のゲインを可変することによって実現できる。
【０１９２】
復調回路１４は随時、復調回路１４に入力される高周波信号の信号レベルをモニターしており、高周波信号の信号レベルが所定の閾値以上となった場合、ＡＧＣ回路１８に制御信号を送って、ＡＧＣ回路１８のゲイン（または減衰度）を調整する。
【０１９３】
例えば、復調回路１４に入力される高周波信号の信号レベルが所定の閾値より１ｄＢ大きくなった場合は、ＡＧＣ回路１８の減衰度を１ｄＢ増やすことで、チューナブル帯域フィルタ１２、歪み素子１３および復調回路１４に入力される高周波信号の信号レベルを１ｄＢ低下させる、というように調整が行われる。
【０１９４】
この調整をＡＧＣ回路１８のＡＧＣ動作と呼ぶことにする。図１０は本発明の実施の形態４における相互変調歪み検出装置１０の動作説明のフローチャートである。ステップＳ
８２までは、実施の形態１と同じであるので説明を省略する。
【０１９５】
復調回路１４が、ＩＭ歪み検出試験モードを開始することを選んだ場合（ステップＳ８３のＹＥＳ）、復調回路１４は、ＡＧＣ回路１８によるＡＧＣ動作を停止させる（ステップＳ８４）。
【０１９６】
その後は、実施の形態１と同様にＩＭ歪み検出試験モードのフローが行われる。その結果、ＩＭ歪みが検出されない場合（ステップＳ８８）、ＡＧＣ回路１８によるＡＧＣ動作を再開し（ステップＳ８９）、その後、通常の受信モード動作に復帰する。
【０１９７】
ステップＳ８４において「ＡＧＣ動作を停止する」とは、復調回路１４に入力される高周波信号の信号レベルに応じて、ＡＧＣ回路１８のゲインを調整する動作を停止し、ＡＧＣ回路１８のゲインを一定に保つという意味である。
【０１９８】
ＡＧＣ回路１８のＡＧＣ動作を停止したＩＭ歪み検出試験モードでは、ＡＧＣ回路１８の回路ゲインが大きい（減衰度が小さい）ほど、ＩＭ歪み検出試験の感度が高くなるため望ましい。
【０１９９】
一般に、ＡＧＣ回路１８による回路ゲインの調整は、ゲインを下げる（減衰度を増やす）ことで行われるので、その場合は、ＡＧＣ回路１８の回路ゲインを最大値に保つ（減衰度を最小値に保つ）ことが望ましい。
【０２００】
一方、ＡＧＣ回路１８の回路ゲインが最大値でなくても、一定の固定値を維持させれば、ＩＭ歪み検出試験を行うことができる。
【０２０１】
なお、ＡＧＣ回路１８のＡＧＣ動作のために、随時信号レベルをモニターする回路ブロックは、復調回路１４の入力レベルではなく、歪み素子１３の入力レベルでもよい。
【０２０２】
なお、ＡＧＣ回路１８は、チューナブル帯域フィルタ１２と入力端子１１の間ではなく、チューナブル帯域フィルタ１２と歪み素子１３の間でもよい。なお、ＡＧＣ回路１８は、一回路だけでなく、二回路以上設けてもよい。
【０２０３】
以上のように、本実施の形態では、ＡＧＣ回路１８を設けたため、相互変調歪み検出装置１０の復調信号のＳＮ比が劣化したり、ビット誤り率が低下したりすることなく受信・復調できる電力のダイナミックレンジの上限を上方へ上げることができる。
（実施の形態５）
以下、本発明の実施の形態５における相互変調歪み検出装置１０について図面を参照しながら説明する。
【０２０４】
図１１は、実施の形態５における相互変調歪み検出装置１０の構成を示すブロック図である。
【０２０５】
図１１において、相互変調歪み検出装置１０は、高周波信号の入力端子１１と、入力端子１１に接続され入力端子１１から相互変調歪み検出装置１０に入力された高周波信号が入力される第１のチューナブル帯域フィルタ１０２と、第１のチューナブル帯域フィルタ１０２から出力された高周波信号が入力される第１の歪み素子１０３と、第１の歪み素子１０３から出力された高周波信号が入力される第２のチューナブル帯域フィルタ１０４と、第２のチューナブル帯域フィルタ１０４から出力された高周波信号が入力される第２の歪み素子１０５と、復調回路１４とを有する。
【０２０６】
入力端子１１は、相互変調歪み検出装置１０が高周波信号を受信するための高周波信号の入り口であり、例えばアンテナ１９に接続される。
【０２０７】
図１１における第１のチューナブル帯域フィルタ１０２と第２のチューナブル帯域フィルタ１０４は、実施の形態１の相互変調歪み検出装置１０の構成を示すブロック図である図１のチューナブル帯域フィルタ１２と、本質的に同じものであるので、詳細な説明は省略する。
【０２０８】
図１１における第１の歪み素子１０３と第２の歪み素子１０５は、実施の形態１の相互変調歪み検出装置１０の構成を示すブロック図である図１の歪み素子１３と、本質的に同じものであるので、詳細な説明は省略する。
【０２０９】
例えば、第１の歪み素子１０３が低雑音アンプ、第２の歪み素子１０５がミキサという構成や、第１の歪み素子１０３が低雑音アンプ、第２の歪み素子１０５がバッファアンプという構成にて実現される。
【０２１０】
図１１における復調回路１４は、実施の形態１の相互変調歪み検出装置１０の構成を示すブロック図である図１の復調回路１４と、本質的に同じものであるので、詳細な説明は省略する。
【０２１１】
復調回路１４は、相互変調歪み検出装置１０が受信し復調回路１４で復調する高周波信号の周波数（受信周波数）を、第１の中心周波数設定回路１０７と第２の中心周波数設定回路１０８に出力する。
【０２１２】
第１の中心周波数設定回路１０７は、第１のチューナブル帯域フィルタ１０２の中心周波数を設定するための制御信号を第１のチューナブル帯域フィルタ１０２へ出力する。
【０２１３】
第２の中心周波数設定回路１０８は、第２のチューナブル帯域フィルタ１０４の中心周波数を設定するための制御信号を第２のチューナブル帯域フィルタ１０４へ出力する。
【０２１４】
第１のチューナブル帯域フィルタ１０２は、第１の中心周波数設定回路１０７から入力された制御信号に応じて、第１のチューナブル帯域フィルタ１０２の通過帯域の中心周波数を変化させる。
【０２１５】
第２のチューナブル帯域フィルタ１０４は、第２の中心周波数設定回路１０８から入力された制御信号に応じて、第２のチューナブル帯域フィルタ１０４の通過帯域の中心周波数を変化させる。
【０２１６】
復調回路１４は、復調回路１４が受信周波数の高周波信号を復調して得た低周波信号をＳメータ測定回路１６に出力する。
【０２１７】
Ｓメータ測定回路１６は、復調回路１４から出力された低周波信号の電圧（信号レベル）を測定する。復調回路１４が復調して得た低周波信号の信号レベルをＳメータと呼ぶことにする。Ｓメータ測定回路１６は、ＳメータをＳメータ比較回路１７へ出力する。
【０２１８】
以上のように構成された相互変調歪み検出装置１０について、以下にその処理動作を説明する。
【０２１９】
図１２は本発明の実施の形態５における相互変調歪み検出装置１０の動作説明のフローチャートである。
【０２２０】
まずユーザからの指示動作などにより、相互変調歪み検出装置１０が受信モードに入る（ステップＳ１０１）。
【０２２１】
次に、復調回路１４は、ユーザからの指示や相互変調歪み検出装置１０を制御するプログラムの命令を受けて、相互変調歪み検出装置１０が受信して復調する高周波信号の周波数（受信周波数）を決め、受信周波数を、第１のチューナブル帯域フィルタ１０２の中心周波数を設定する第１の中心周波数設定回路１０７と、第２のチューナブル帯域フィルタ１０４の中心周波数を設定する第２の中心周波数設定回路１０８へ出力する。
【０２２２】
第１の中心周波数設定回路１０７は、第１のチューナブル帯域フィルタ１０２の中心周波数が受信周波数と同じとなるように、第１のチューナブル帯域フィルタ１０２へ制御信号を出力する。
【０２２３】
第２の中心周波数設定回路１０８は、第２のチューナブル帯域フィルタ１０４の中心周波数が受信周波数と同じとなるように、第２のチューナブル帯域フィルタ１０４へ制御信号を出力する。
【０２２４】
以上の動作により、第１のチューナブル帯域フィルタ１０２の通過帯域の中心周波数と第２のチューナブル帯域フィルタ１０４の通過帯域の中心周波数は、復調回路１４の受信周波数に設定される。
【０２２５】
第１のチューナブル帯域フィルタ１０２は、入力端子１１に入力された高周波信号から受信周波数の信号を選択して出力する。
【０２２６】
第１のチューナブル帯域フィルタ１０２から出力された高周波信号は、第１の歪み素子１０３へ入力される。
【０２２７】
第１の歪み素子１０３から出力された高周波信号は、第２のチューナブル帯域フィルタ１０４へ入力される。
【０２２８】
第２のチューナブル帯域フィルタ１０４から出力された高周波信号は、第２の歪み素子１０５、さらに復調回路１４へ入力され、復調回路１４で復調される。
【０２２９】
復調回路１４は、復調回路１４に入力された高周波信号から受信周波数の信号を復調して低周波信号を得て、低周波信号をＳメータ測定回路１６へ出力する。
【０２３０】
Ｓメータ測定回路１６は、復調回路１４から出力された低周波信号のＳメータ（Ｓ１）を、Ｓメータ比較回路１７へ出力する。Ｓメータ比較回路１７は、Ｓメータ（Ｓ１）を記憶する（ステップＳ１０２）。
【０２３１】
次に、復調回路１４は、ユーザからの指示や相互変調歪み検出装置１０を制御するプログラムの命令に従い、ＩＭ歪み検出試験モードを開始するか、開始しないかを選択する（ステップＳ１０３）。
【０２３２】
ＩＭ歪み検出試験モードを開始しない場合（ステップＳ１０３のＮＯ）、受信モードのステップＳ１０２に戻る。
【０２３３】
復調回路１４が、ＩＭ歪み検出試験モードを開始することを選んだ場合（ステップＳ１０３のＹＥＳ）、第２のチューナブル帯域フィルタ１０４の中心周波数を設定する第２の
中心周波数設定回路１０８は、第２のチューナブル帯域フィルタ１０４の中心周波数を受信周波数から所定量だけシフトさせるため、第２のチューナブル帯域フィルタ１０４に制御信号を出力する。
【０２３４】
第２のチューナブル帯域フィルタ１０４の通過帯域の中心周波数は、復調回路１４の受信周波数から所定量だけシフトする。
【０２３５】
第２のチューナブル帯域フィルタ１０４から出力された高周波信号は、第２の歪み素子１０５、さらに復調回路１４へ入力され、復調回路１４で復調される。
【０２３６】
復調回路１４は、復調回路１４に入力された高周波信号から受信周波数の信号を復調して低周波信号を得て、低周波信号をＳメータ測定回路１６へ出力する。
【０２３７】
Ｓメータ測定回路１６は、復調回路１４から出力された低周波信号のＳメータ（Ｓ２）を、Ｓメータ比較回路１７へ出力する。Ｓメータ比較回路１７は、Ｓメータ（Ｓ２）を記憶する（ステップＳ１０４）。
【０２３８】
次に、第１のチューナブル帯域フィルタ１０２の中心周波数を設定する第１の中心周波数設定回路１０７は、第１のチューナブル帯域フィルタ１０２の中心周波数を受信周波数から所定量だけシフトさせるため、第１のチューナブル帯域フィルタ１０２に制御信号を出力する。
【０２３９】
第１のチューナブル帯域フィルタ１０２の通過帯域の中心周波数は、復調回路１４の受信周波数から所定量だけシフトする。
【０２４０】
第１のチューナブル帯域フィルタ１０２から出力された高周波信号は、第１の歪み素子１０３、第２のチューナブル帯域フィルタ１０４、第２の歪み素子１０５、さらに復調回路１４へ入力され、復調回路１４で復調される。
【０２４１】
復調回路１４は、復調回路１４に入力された高周波信号から受信周波数の信号を復調して低周波信号を得て、低周波信号をＳメータ測定回路１６へ出力する。
【０２４２】
Ｓメータ測定回路１６は、復調回路１４から出力された低周波信号のＳメータ（Ｓ３）を、Ｓメータ比較回路１７へ出力する。Ｓメータ比較回路１７は、Ｓメータ（Ｓ３）を記憶する（ステップＳ１０５）。
【０２４３】
次に、Ｓメータ比較回路１７では、受信モード（第１のチューナブル帯域フィルタ１０２の通過帯域の中心周波数と第２のチューナブル帯域フィルタ１０４の通過帯域の中心周波数が復調回路１４の受信周波数と等しいとき）の受信周波数のＳメータＳ１と、第２のチューナブル帯域フィルタ１０４の通過帯域の中心周波数が復調回路１４の受信周波数に対して所定量のシフトをしているときの受信周波数のＳメータＳ２の大小を比較する（ステップＳ１０６）。
【０２４４】
Ｓメータ比較回路１７は、Ｓ２がＳ１より大となったときに、第２の歪み素子１０５でＩＭ歪みが生じていると判断する（ステップＳ１０７）。一方、Ｓメータ比較回路１７は、Ｓ２がＳ１より小となったときは、第２の歪み素子１０５でＩＭ歪みが生じていないと判断する（ステップＳ１０６のＮＯ）。
【０２４５】
Ｓメータ比較回路１７が、第２の歪み素子１０５でＩＭ歪みが生じていないと判断したときは、受信モード（第１のチューナブル帯域フィルタ１０２の通過帯域の中心周波数と
第２のチューナブル帯域フィルタ１０４の通過帯域の中心周波数が復調回路１４の受信周波数と等しいとき）の受信周波数のＳメータＳ１と、第１のチューナブル帯域フィルタ１０２の通過帯域の中心周波数と第２のチューナブル帯域フィルタ１０４の通過帯域の中心周波数が復調回路１４の受信周波数に対して所定量のシフトをしているときの受信周波数のＳメータＳ３の大小を比較する（ステップＳ１０８）。
【０２４６】
Ｓメータ比較回路１７は、Ｓ３がＳ１より大となったときに、第２の歪み素子１０５ではなく第１の歪み素子１０３でＩＭ歪みが生じていると判断する（ステップＳ１０９）。
【０２４７】
一方、Ｓメータ比較回路１７は、Ｓ３がＳ１より小となったときは、第１の歪み素子１０３と第２の歪み素子１０５でＩＭ歪みが生じていないと判断する（ステップＳ１０８のＮＯ）。
【０２４８】
Ｓメータ比較回路１７が、第１の歪み素子１０３と第２の歪み素子１０５でＩＭ歪みが生じていないと判断したときは（ステップＳ１１０）、通常の受信モードに戻る。
【０２４９】
以上のように構成された相互変調歪み検出装置１０について、以下の条件ごとに、処理動作の実施例を説明する。
【０２５０】
（１）受信モードで第２の歪み素子１０５でＩＭ歪みが発生していて、第２の歪み素子１０５の出力信号において希望波よりＩＭ歪み信号の信号レベルが大きい場合。
【０２５１】
（２）受信モードで第２の歪み素子１０５でＩＭ歪みは発生していないが、第１の歪み素子１０３でＩＭ歪みが発生し、第１の歪み素子１０３の出力信号において希望波よりＩＭ歪み信号の信号レベルが大きい場合。
【０２５２】
（３）受信モードで第２の歪み素子１０５においても第１の歪み素子１０３においてもＩＭ歪みが発生していない場合。
【０２５３】
（１）の条件について説明する。ステップＳ１０４において、第２のチューナブル帯域フィルタ１０４の通過帯域の中心周波数を所定の周波数幅だけシフトしたことによって、第２の歪み素子１０５に入力されるＩＭ歪みを発生させる元となる妨害波の信号レベルが増大し、受信周波数である希望波の信号レベルが低下する。
【０２５４】
したがって、第２の歪み素子１０５から出力される希望波の信号レベルは低下する。また、第２の歪み素子１０５でＩＭ歪みが発生すると仮定したので、第２の歪み素子１０５の出力信号に含まれる信号のうちで、受信周波数と同じ周波数のＩＭ歪み信号の信号レベルが増大する。
【０２５５】
したがって、実施の形態１と同じように、第２のチューナブル帯域フィルタ１０４の通過帯域の中心周波数をシフトした後のＳメータ（Ｓ２）は、受信モードのＳメータ（Ｓ１）より増大する。すなわち、Ｓ２＞Ｓ１であれば、第２の歪み素子１０５がＩＭ歪みの発生源となっていることがわかる。
【０２５６】
（２）の条件について説明する。ステップＳ１０４において、第２のチューナブル帯域フィルタ１０４の通過帯域の中心周波数を所定の周波数幅だけシフトしたことによって、第２の歪み素子１０５に入力されるＩＭ歪みを発生させる元となる妨害波のレベルが増大し、受信周波数である希望波のレベルが低下するが、第２の歪み素子１０５がＩＭ歪みを発生させていないため、第２の歪み素子１０５から出力する信号に含まれる信号のうちで受信周波数と同じ周波数のＩＭ歪み信号の信号レベルは増大しない。
【０２５７】
したがって第２のチューナブル帯域フィルタ１０４の通過帯域の中心周波数をシフトした後のＳメータ（Ｓ２）は、受信モードのＳメータ（Ｓ１）より増大しない。すなわち、Ｓ２＜Ｓ１であれば、第２の歪み素子１０５はＩＭ歪みの発生源ではないことがわかる。
【０２５８】
次に、ステップＳ１０５において、第１のチューナブル帯域フィルタ１０２の通過帯域の中心周波数を所定の周波数幅だけシフトしたことによって、第１の歪み素子１０３に入力される信号のうちで、ＩＭ歪みを発生させる元となる妨害波の信号レベルが増大し、受信周波数である希望波の信号レベルが低下する。
【０２５９】
したがって、第１の歪み素子１０３から出力される希望波の信号レベルは低下する。また、第１の歪み素子１０３でＩＭ歪みが発生すると仮定したので、第１の歪み素子１０３の出力信号に含まれる信号のうちで受信周波数と同じ周波数のＩＭ歪み信号の信号レベルが増大する。
【０２６０】
したがって、第１のチューナブル帯域フィルタ１０２の通過帯域の中心周波数をシフトした後のＳメータ（Ｓ３）は、受信モードのＳメータ（Ｓ１）より増大する。すなわち、Ｓ３＞Ｓ１であれば、第１の歪み素子１０３がＩＭ歪みの発生源となっていることがわかる。
【０２６１】
以上から、Ｓ２＜Ｓ１、かつＳ３＞Ｓ１となったときは、第２の歪み素子１０５はＩＭ歪みの発生源ではなく、第１の歪み素子１０３がＩＭ歪みの発生源であることがわかる。（３）の条件について説明する。まず、第２の歪み素子１０５はＩＭ歪みの発生源ではないので、（２）の条件においてすでに説明したように、Ｓ２＜Ｓ１となる。
【０２６２】
次に、ステップＳ１０５において、第１のチューナブル帯域フィルタ１０２の通過帯域の中心周波数を所定の周波数幅だけシフトしたことによって、第１の歪み素子１０３に入力される信号のうちでＩＭ歪みを発生させる元となる妨害波の信号レベルが増大し、受信周波数である希望波の信号レベルが低下するが、第１の歪み素子１０３がＩＭ歪みを発生させていないため、第１の歪み素子１０３から出力する信号に含まれる信号のうちで受信周波数と同じ周波数のＩＭ歪み信号の信号レベルは増大しない。
【０２６３】
したがって第１のチューナブル帯域フィルタ１０２の通過帯域の中心周波数をシフトした後のＳメータ（Ｓ３）は、受信モードのＳメータ（Ｓ１）より増大しない。すなわち、Ｓ３＜Ｓ１であれば、第１の歪み素子１０３はＩＭ歪みの発生源ではないことがわかる。
【０２６４】
以上から、Ｓ２＜Ｓ１、かつＳ３＜Ｓ１となったときは、第１の歪み素子１０３と第２の歪み素子１０５はともにＩＭ歪みの発生源ではないことがわかる。
【０２６５】
つまり、実施の形態５では、複数の歪み素子を有する相互変調歪み検出装置においてチューナブル帯域フィルタを複数設け、復調回路に近い側のチューナブル帯域フィルタから順に、チューナブル帯域フィルタの通過帯域の中心周波数を受信周波数から所定の周波数幅だけシフトさせるＩＭ歪み検出試験を行うことによって、ＩＭ歪みの発生源となっている歪み素子を明らかにすることができる。
【０２６６】
なお、チューナブル帯域フィルタの通過帯域の中心周波数のシフト幅は、実施の形態２と３にて述べたように、受信周波数に対して高周波数側と低周波数側の両方の試験を実施したり、周波数幅を切り替えながら複数回の試験を実施したりすることも可能である。
なお、ＡＧＣ回路を設けることも可能である。
【０２６７】
なお、チューナブル帯域フィルタと歪み素子は３回路以上あっても構成可能である。チューナブル帯域フィルタと歪み素子が同じ数でなくても構成可能である。
【産業上の利用可能性】
【０２６８】
本発明の相互歪み検出装置は、主に無線通信における受信機に搭載して使用すると有用である。特に、さまざまな電波環境で安定した受信動作をすることが要求される移動体無線、車載無線、車載ラジオ、車載テレビ用受信機向けとして有用である。
【符号の説明】
【０２６９】
１０  相互変調歪み検出装置
１１  入力端子
１２  チューナブル帯域フィルタ
１３  歪み素子
１４  復調回路
１５  中心周波数設定回路
１６  Ｓメータ測定回路
１７  Ｓメータ比較回路
１８  ＡＧＣ回路
１０２  第１のチューナブル帯域フィルタ
１０３  第１の歪み素子
１０４  第２のチューナブル帯域フィルタ
１０５  第２の歪み素子
１０７  第１の中心周波数設定回路
１０８  第２の中心周波数設定回路
【図１】
2012209627.tif 000009
【図２】
2012209627.tif 000010
【図３】
2012209627.tif 000011
【図４】
2012209627.tif 000012
【図５】
2012209627.tif 000013
【図６】
2012209627.tif 000014
【図７】
2012209627.tif 000015
【図８】
2012209627.tif 000016
【図９】
2012209627.tif 000017
【図１０】
2012209627.tif 000018
【図１１】
2012209627.tif 000019
【図１２】
2012209627.tif 000020